【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
食料品又はハーブを収容するサイズの容器と、
前記容器の一端に備え付けられたチョップ装置であって、撹拌器、内側チョッパ及び外側チョッパを有する前記チョップ装置と、
を備えたハーブ又は食料品チョッパであって、
前記外側チョッパは、複数の歯及び複数の穴を有し、
前記内側チョッパは、複数の歯、及び前記収容された食料品又はハーブが通過できるサイズの複数の穴を有し、
前記撹拌器は、前記内側チョッパの内側に配置され、前記撹拌器は、複数のスポーク、前記スポーク間に形成された複数の開口、及び前記容器内へと延びるフィン又は突起を有し、
前記内側チョッパの前記複数の歯は、前記外側チョッパの前記複数の歯に対して互い違いになっており、
前記外側チョッパの前記複数の穴は、前記チョッパから、細断された食料品又はハーブを小出しにする
ことを特徴とし、さらに、
前記外側チョッパの前記複数の歯が容器の底に向かって内側に突出すること、
前記内側チョッパの前記複数の歯が前記容器の底から外側に離れるよう突出すること、及び
前記外側チョッパの前記複数の歯が前記内側チョッパの前記複数の歯間のスペース中へ突出すること
のうちの少なくとも１つを特徴とする、前記チョッパ。
【請求項２】
前記容器はボトルである、請求項１に記載のチョッパ。
【請求項３】
前記容器は透明な材料で作られている、請求項１に記載のチョッパ。
【請求項４】
前記外側チョッパの一端に配置されたキャップ、及び
前記外側チョッパに取り外し可能に連結されるキャップ
のうちの少なくとも１つをさらに備えた請求項１に記載のチョッパ。
【請求項５】
前記撹拌器は、前記容器から前記収容された食料品又はハーブを前記内側チョッパと前記外側チョッパとの間のスペースに供給するよう構成されている、請求項１に記載のチョッパ。
【請求項６】
前記撹拌器は、前記容器に対して前記外側チョッパとともに回転する、請求項５に記載のチョッパ。
【請求項７】
前記撹拌器は、前記収容された食料品又はハーブの予備的な細断を行う、請求項５に記載のチョッパ。
【請求項８】
前記フィン又は突起は、前記撹拌器の前記スポークのうちの少なくとも１つに連結している、請求項１に記載のチョッパ。
【請求項９】
前記容器及び前記外側チョッパは、前記食料品又はハーブの細断の間、互いに対して回転する、請求項１に記載のチョッパ。
【請求項１０】
前記外側チョッパ及び前記内側チョッパの前記複数の歯は、螺旋状に配置されている、請求項１に記載のチョッパ。
【請求項１１】
前記チョッパは、使い捨てである、請求項１に記載のチョッパ。
【請求項１２】
前記チョッパは、前記容器内に収容された前記食料品又はハーブを含む、請求項１に記載のチョッパ。
【請求項１３】
前記食料品又はハーブは、バジル、オレガノ、タイム、ローズマリー、パセリ、シラントロ、チャイブ、又はタラゴンの葉の全体もしくは一部を含む請求項１２に記載のチョッパ。
【請求項１４】
前記外側チョッパの軸方向全体の厚さが、前記内側チョッパの軸方向全体の厚さよりも大きいこと、
前記外側チョッパが、前記内側チョッパの開口及び前記撹拌器の開口を通じて延びる軸を有すること、並びに
前記外側チョッパが、前記容器のリム部分を囲み且つ重なる外壁を有すること
のうちの少なくとも１つを特徴とする請求項１に記載のチョッパ。
【請求項１５】
前記撹拌器は、前記容器の内側に配置され、
前記内側チョッパは、部分的に前記容器の内側に配置され、
前記外側チョッパは、前記容器の外側に配置されている、請求項１に記載のチョッパ。
【請求項１６】
前記撹拌器の前記複数の開口は、前記内側チョッパの前記複数の開口よりもサイズが大きく、
前記内側チョッパの前記複数の開口は、前記外側チョッパの前記複数の開口よりもサイズが大きい、請求項１に記載のチョッパ。
【請求項１７】
食料品又はハーブを収容する容器と、
前記容器の一端に備え付けられたチョップ装置であって、撹拌器、内側チョッパ及び外側チョッパを有する前記チョップ装置と、
を備えたハーブ又は食料品チョッパであって、
前記外側チョッパは、複数の歯及び複数の穴を有し、
前記内側チョッパは、複数の歯、及び前記収容された食料品又はハーブが通過できるサイズの複数の穴を有し、
前記撹拌器は、前記内側チョッパの内側に配置され、前記撹拌器は、複数のスポーク、前記スポーク間に形成された複数の開口、及び前記容器内へと延びるフィン又は突起を有し、
前記撹拌器は、前記収容された食料品又はハーブが前記内側チョッパの前記複数の歯と前記外側チョッパの前記複数の歯との間で細断される前に前記撹拌器の前記複数の開口を通過するように、配置され、
前記内側チョッパの前記複数の歯は、前記外側チョッパの前記複数の歯に対して互い違いになっており、
前記外側チョッパの前記複数の穴は、前記チョッパから、細断された食料品又はハーブを小出しにする
ことを特徴とし、さらに、
前記外側チョッパが外側のグリップ状表面を有し、前記外側チョッパ及び前記容器が前記収容された食料品又はハーブの細断とは反対方向に回転すること、並びに
前記外側チョッパが、食料品又はハーブの細断の間、前記容器とともに回転しないこと
のうちの少なくとも１つを特徴とする、前記チョッパ。
【請求項１８】
前記撹拌器は、前記容器の内側に配置され、
前記内側チョッパは、部分的に前記容器の内側に配置され、
前記外側チョッパは、前記容器の外側に配置されている、請求項１７に記載のチョッパ。
【請求項１９】
食料品又はハーブを収容するサイズの容器と、
前記容器の一端に備え付けられたチョップ装置であって、撹拌器、内側チョッパ及び外側チョッパを有する前記チョップ装置と、
を備えた使い捨てのハーブ又は食料品チョッパであって、
前記外側チョッパは、外側のグリップ状表面、軸方向に突出する複数の歯、及び複数の貫通孔を有し、
前記内側チョッパは、軸方向に突出する複数の歯、及び前記収容された食料品又はハーブが通過できるサイズの複数の貫通孔を有し、
前記撹拌器は、前記内側チョッパの内側に配置され、前記撹拌器は、複数のスポーク、前記スポーク間に形成された複数の貫通開口、及び前記容器内へと延びるフィン又は突起を有し、
前記撹拌器は、前記収容された食料品又はハーブが前記内側チョッパの前記複数の歯と前記外側チョッパの前記複数の歯との間で細断される前に前記撹拌器の前記複数の貫通開口を通過するように、配置され、
前記外側チョッパの前記複数の貫通孔は、前記チョッパから細断された食料品又はハーブを小出しにする、前記チョッパ。
【請求項２０】
前記収容された食料品又はハーブが、前記外側チョッパの前記複数の貫通孔を通過する前に細断されること、及び
前記外側チョッパの前記複数の貫通孔が、前記内側チョッパの前記複数の貫通孔よりもサイズが小さく、十分に小さいサイズの細断された食料品又はハーブだけが小出しにされること
のうちの少なくとも１つを特徴とする請求項１９に記載のチョッパ。
【手続補正２】
【補正対象書類名】明細書
【補正対象項目名】００４３
【補正方法】変更
【補正の内容】
【００４３】
したがって、前述の説明は、単なる例示的実施形態を開示し、説明したものである。当業者には理解されるように、ハーブチョッパは、その趣旨と本質的な性質から逸脱することなく、他の特定の形態で実現され得る。それ故、本開示は例示的なものであることを意図され、範囲を限定しない。本明細書の教示の容易に認められる任意の変型例を含む本開示は、部分的に、前述の特許請求の範囲の用語の範囲を、どの発明の主題も公共に捧げられることなく、定義する。
なお、本発明には以下の態様も含まれることを付記する。
［１］
挽こうとする葉全体または大きな葉のハーブを保持するボトルと、
前記ボトルの部分的な周辺部の周りに配置される下側チョッパであって、複数の歯および複数の穴を含む前記下側チョッパと、
前記下側チョッパに対向して配置され、前記下側チョッパに対して回転する上側チョッパであって、複数の歯と、前記ハーブが通過する複数の開口とを含む前記上側チョッパと、
前記ボトルと前記上側チョッパとの間に配置される撹拌器であって、複数のスポークと、前記スポークの間に形成される複数の開口と、前記ボトル内へと延びるフィンとを含む前記撹拌器と
を備えたハーブチョッパであって、
前記撹拌器は、前記ハーブが、前記上側チョッパの前記複数の歯と前記下側チョッパの前記複数の歯との間で細断される前に、前記撹拌器の前記複数の開口を通過するように配置され、
前記上側チョッパが前記下側チョッパに対して回転するときに前記ハーブを特定のサイズに細断するために、前記上側チョッパの前記複数の歯は、前記下側チョッパの前記複数の歯に対して互い違いになっており、
前記下側チョッパの前記複数の穴は、前記チョッパから前記細断されたハーブを小出しにする、前記ハーブチョッパ。
［２］
前記ボトルは、その端面に噛み合い歯の列を含み、
前記上側チョッパは、前記ボトルと前記上側チョッパとがともに回転するように前記ボトルの前記噛み合い歯と噛み合う噛み合い歯の列を含む、［１］に記載のハーブチョッパ。
［３］
前記ボトルは、その端面にタブを含み、
前記上側チョッパは、前記ボトルと前記上側チョッパとがともに回転するように前記ボトルの前記タブと噛み合うタブの列を含む、［１］に記載のハーブチョッパ。
［４］
前記下側チョッパの端部に配置されたキャップをさらに備える［１］に記載のハーブチョッパ。
［５］
前記キャップは、貫通する開口を含み、前記小出し穴を開くまたは閉じるために、前記下側チョッパに対して回転可能である、［４］に記載のハーブチョッパ。
［６］
前記キャップは、前記小出し穴を開くまたは閉じるために、前記下側チョッパに対して取り外し可能である、［４］に記載のハーブチョッパ。
［７］
前記撹拌器は、前記ハーブを前記ボトルから前記上側チョッパおよび前記下側チョッパに供給する、［１］に記載のハーブチョッパ。
［８］
前記撹拌器は、前記上側チョッパとともに回転する、［７］に記載のハーブチョッパ。
［９］
前記撹拌器は、前記ハーブの予備的な細断を行う、［７］に記載のハーブチョッパ。
［１０］
前記フィンは、前記撹拌器の前記スポークの少なくとも１つに取り付けられる、［１］に記載のハーブチョッパ。
［１１］
前記ボトルおよび前記下側チョッパは、互いに対して回転する、［２］に記載のハーブチョッパ。
［１２］
前記下側および上側チョッパの前記歯は、前記細断されたハーブを前記小出し穴へと送るように螺旋状に配置される、［１］に記載のハーブチョッパ。
［１３］
細断しようとするハーブの葉と、
挽こうとする前記ハーブの葉を保持するボトルと、
前記ボトルの部分的な周辺部周りに配置される下側チョッパであって、複数の歯および複数の穴とを含む下側チョッパと、
前記下側チョッパに対向して配置され、前記下側チョッパに対して回転する上側チョッパであって、複数の歯と、前記ハーブの葉が通過する複数の開口とを含む前記上側チョッパと、
前記ボトルと前記上側チョッパとの間に配置される撹拌器であって、複数のスポークと、前記スポークの間に形成される複数の開口と、前記ボトル内へと延びるフィンとを含む前記撹拌器と
を備えたチョップシステムであって、
前記撹拌器は、前記ハーブが、前記上側チョッパの前記複数の歯と前記下側チョッパの前記複数の歯との間で細断される前に、前記撹拌器の前記複数の開口を通過するように配置され、
前記上側チョッパが前記下側チョッパに対して回転されるときに前記ハーブの葉を特定のサイズに細断するために、前記上側チョッパの前記複数の歯は、前記下側チョッパの前記複数の歯に対して互い違いになっており、
前記下側チョッパは、前記チョッパから細断されたハーブを小出しにする小出し穴を含む、前記チョップシステム。
［１４］
前記ショップシステムが使い捨てである、［１３］に記載のチョップシステム。
［１５］
前記ハーブの葉は、バジル、オレガノ、タイム、ローズマリー、パセリ、シラントロ、チャイブ、またはタラゴンの完全なまたは部分的な葉を含む、［１３］に記載のチョップシステム。
［１６］  前記小出し穴を覆うように取り付けられる計量カップをさらに備える［１３］に記載のチョップシステム。